(57)【要約】【課題】  搭載部と台車部とが確実に連結されていることを容易に確認できる入浴用搬送装置を提供する。【解決手段】  複数のキャスター（６）によって支持され、上部に軌道部（８）が付設されている台車部（２）と、台車部（２）上に分離可能に配置され、軌道部（８）上を搬送可能にされた搭載部（３）と、台車部（２）と搭載部（３）との間に設けられ、搭載部（３）が軌道部（８）に沿って台車部（２）から離脱する方向に動かないように連結させるためのロック機構（２１）を備えた入浴用搬送装置（１）において、ロック機構（２１）により台車部（２）と搭載部（３）とが連結されていることを確認するためのロック確認手段（２２）を設けた。【選択図】        図１
2006042974.tif 000002
【特許請求の範囲】
【請求項１】
上部に軌道部が付設されている台車部と、
該台車部上に該台車部と分離可能に配置され、前記軌道部上を搬送可能にされた搭載部と、
前記搭載部と前記台車部との間に設けられ、前記搭載部が前記軌道部に沿って前記台車部から離脱する方向に動かないように連結させるためのロック機構を備えた入浴用搬送装置において、
前記ロック機構により前記搭載部と前記台車部とが連結されていることを確認するためのロック確認手段が設けられていることを特徴とする入浴用搬送装置。
【請求項２】
前記ロック確認手段が、前記搭載部と前記台車部とが連結されたことを示す表示手段であることを特徴とする請求項１記載の入浴用搬送装置。
【請求項３】
前記ロック確認手段が、前記離脱方向とは反対側の前記台車部上に設けられていることを特徴とする請求項１または請求項２記載の入浴用搬送装置。
【発明の詳細な説明】
【技術分野】
【０００１】
この発明は、主に体が不自由な者等（以下、要介助者と記す）を入浴させる際に用いられる入浴用搬送装置に関する。
【背景技術】
【０００２】
一般に、要介助者等を入浴させる際に浴槽へ移動させるために、入浴用車椅子または入浴用担架等の入浴用搬送装置が使用される。例えば特許文献１では、入浴用車椅子であって、下部にキャスターが設けられて上部に第１のレール（軌道部）が二列平行に付設されている台車部と、下部に車輪が設けられている椅子部（搭載部）とからなるものであり、椅子部の車輪が第１のレールの上を走行することで、椅子部が台車部上を前後または左右に移動可能とされているものが知られている。
【特許文献１】特開２００４−１５４２４１号公報
【０００３】
特許文献１に記載されている入浴用車椅子の台車部と椅子部との間には第１のロック機構が設けられており、この入浴用車椅子を移動する際には、椅子部と台車部が第１のロック機構により連結状態とされ、椅子部が台車部から離脱する方向に移動しない構成とされている。
【０００４】
また、この特許文献１に記載されている入浴用車椅子の台車フレームの一側面には、入浴用車椅子が入浴用受け台の所定位置に当接することで非ロック状態になる第２のロック機構が設けられると共に、入浴用受け台と台車部とを掛止する連結機構が更に設けられている。
【０００５】
従って、この入浴用車椅子が、入浴用受け台の所定位置に当接し、入浴用車椅子の台車部に設けた第１のレールと入浴用受け台側にある第２のレールとが同軸上になるように位置合わせされると、入浴用受け台と台車部とが連結機構により連結され、第２のロック機構が非ロック状態となる。そして、第１のロック機構を解除することにより、椅子部が第１のレールから第２のレールへ搬送可能とされ入浴用受け台に移動できるようになっている。
【０００６】
また、椅子部が入浴用受け台側から台車部に戻される場合には、上述した第２のロック機構の非ロック状態下で、椅子部が第２のレールから第１のレールへ搬送され、第１のロック機構がロックされる位置まで戻されることにより、椅子部と台車部は第１のロック機構により連結され、入浴用車椅子を入浴用受け台から移動させることができる状態となる。
【発明の開示】
【発明が解決しようとする課題】
【０００７】
しかしながら、上述した特許文献１に記載の入浴用車椅子にあっては、椅子部が入浴用受け台側から台車部に戻される場合に、第１のロック機構がロックされた状態になっているか否かの判別が必ずしも容易ではなかった。
従って、介助者が椅子部が台車部と連結されないうちに不用意に入浴用車椅子を入浴用受け台から移動させてしまうと、椅子部が台車部から離脱する方向に移動してしまうという問題が懸念される。
また、第２のロック機構は、上述の通り、台車部と椅子部とを連結することに寄与するものではなかった。
【０００８】
本発明は、上記した問題に鑑みて為されたものであり、搭載部と台車部とが確実にロック状態となっていることを容易に確認できる入浴用搬送装置を提供することを目的とするものである。
【課題を解決するための手段】
【０００９】
上記課題を解決して、かかる目的を達成するために、請求項１記載の入浴用搬送装置は、上部に軌道部が付設されている台車部と、該台車部上に該台車部と分離可能に配置され、前記軌道部上を搬送可能にされた搭載部と、前記搭載部と前記台車部との間に設けられ、前記搭載部が前記軌道部に沿って前記台車部から離脱する方向に動かないように連結させるためのロック機構を備えた入浴用搬送装置において、前記ロック機構により前記搭載部と前記台車部とが連結されていることを確認するためのロック確認手段が設けられていることを特徴とする。
【００１０】
この請求項１記載の発明によると、ロック確認手段により、搭載部と台車部とが連結されていることを容易に確認できる。
【００１１】
請求項２記載の入浴用搬送装置は、前記ロック確認手段が、前記搭載部と前記台車部とが連結されたことを示す表示手段であることを特徴とする。
【００１２】
この請求項２記載の発明によると、搭載部と台車部とがロック手段により連結されたことが、目視により容易に確認できる。
【００１３】
請求項３記載の入浴用搬送装置は、前記ロック確認手段が、前記離脱方向とは反対側の前記台車部上に設けられていることを特徴とする。
【００１４】
この請求項３記載の発明によると、入浴用搬送装置を操作する介助者の直近にロック確認手段を設けることができる。
【発明の効果】
【００１５】
本発明に係る入浴用搬送装置によれば、ロック確認手段により、搭載部と台車部とが連結されていることを容易に確認できるので、搭載部と台車部とが連結される前に入浴用搬送装置を動かすことにより搭載部が不用意に台車部から離脱する方向に移動してしまうことを防止することができる。
【００１６】
また、本発明に係る入浴用搬送装置によれば、搭載部と台車部とがロック手段により連結されたことが表示手段により示されるので、周囲の騒音レベルの高い入浴室等においても、搭載部と台車部とが連結されていることを目視により容易に確認することができる。
更に、ロック確認手段を介助者の直近に設けることにより、ロック確認手段の視認が容易となる。
【発明を実施するための最良の形態】
【００１７】
図１及び図２は、本発明に係る入浴用搬送装置の第１の実施形態である入浴用車椅子の全体図を示すものである。
図１において、符号１は第１の実施形態による入浴用車椅子を示す。この入浴用車椅子１は、台車部２と、この台車部２上を水平方向に移動可能とされた椅子部（搭載部）３とを備える。
【００１８】
台車部２は、平面視四角形状に組まれた台車フレーム４の各隅部から脚部５が上下方向に延び、その脚部５の下端にはキャスター６が取り付けられ、上端には横架材７、７が二列平行に架設され、横架材７、７上には椅子部３を移動可能に支持する第１のレール（軌道部）８、８が横架材７、７の設置方向と直交する向きで二列平行に架設された構造になっている。
【００１９】
図２に示すように、椅子部３は、台車フレーム４と同形の平面視四角形状に形成された椅子フレーム９上に椅子本体１０が取り付けられた構造になっている。椅子フレーム９には、二列平行に設けられた第１のレール８、８上を走行する複数（図では各二個）の車輪１１、１１がそれぞれ取り付けられており、椅子フレーム９は車輪１１、１１によって移動可能に支持されている。
【００２０】
台車部２と椅子部３との間には、第１のロック機構２１が設けられていると共に、本実施の形態においては、台車部２の手前側の端部にロック確認手段２２が設けられている。
第１のロック機構２１及びロック確認手段２２の構成について更に説明すると、図１及び図２に示されるように、台車部２側には、第１のレール８、８の下側に一対の梁部材２３、２３が架け渡されており、横架材７と梁部材２３との間に、第１の被係止板２４が取り付けられている。
【００２１】
図３に示されるように、この第１の被係止板２４の平坦部２４ａには孔２５が形成されており、平坦部２４ａに連なる端面２４ｂには、ロック確認手段２２が螺着されている。このロック確認手段２２の表面には指標部２２ａが形成されており、本実施形態では、この指標部２２ａとして朱色シールが用いられているが、視認が容易な色であれば朱色以外の色であっても差し支えない。
【００２２】
一方、椅子部３側には、ホルダー２６が設けられ、このホルダー２６内には、バネ２７により常時下方に押圧されている弁体２８が設けられている。この弁体２８にはロックレバー２９が取り付けられており、ロックレバー２９は、プレート３０に軸支された回動部材３１と一体となって、弁体２８の上下動に連動してロック位置と非ロック位置との間で回転される。
【００２３】
次に、連結機構４１について図４及び図５に基づき説明すると、図４において、入浴用受け台４２の上面には矩形の基盤４３が設けられており、この基盤４３の上面には入浴用受け台４２の長辺方向と直行する向きに第２のレール４４、４４が二列平行に配設されている。また、入浴用受け台４２の側面は、左右の台車ガイド４５ａ、４５ｂからなる台車ガイド部４５が設けられており、左右の台車ガイド４５ａ、４５ｂの間には半円盤形のレバー係合部４６が設けられている。
レバー係合部４６の上面には連結孔４６ａが鉛直方向に設けられており、第２のレール４４の設置方向で連結孔４６ａからレバー係合部４６の側面にかけて斜めに案内部４６ｂが設けられている。
また、図５において、台車フレーム４の一側方の脚部５、５には、当該入浴用車椅子１を入浴用受け台４２に隣接させる際に、入浴用受け台４２の側面に設けられた左右の台車ガイド４５ａ、４５ｂに突き当たって、両者の相対的な位置決めを行う円盤状の位置決め部材４７、４７が取り付けられている。
【００２４】
連結機構４１は、掛止ロッド４１ａを図４に示す連結孔４６ａの中に挿入することで入浴用受け台４２と台車部２とを掛止するものであり、台車フレーム４の側面に配置されたペダル４１ｂを踏動することで、掛止ロッド４１ａが上下運動する構造を有している。
第１の実施形態においては、この位置決め部材４７、４７を入浴用受け台４２の側面に設けられた左右の台車ガイド４５ａ、４５ｂに突き当てることにより、掛止ロッド４１ａがレバー係合部４６に設けられた案内部４６ｂの表面上を摺動する。そして掛止ロッド４１ａの下端部が連結孔４６ａの中に挿入されて、連結機構４１は連結状態となり、入浴用受け台４２と台車部２とが連結される。
【００２５】
また、第１の実施形態においては、連結機構４１の連結状態を解除する場合には、台車フレーム４の側面に配置されたペダル４１ｂを踏むことにより、掛止ロッド４１ａを上方に回動させ、掛止ロッド４１ａの下端部を連結孔４６ａから引き抜くようにされている。
【００２６】
次に、第２のロック機構６１について図５及び図６に基づき説明する。図５及び図６に示されるように、入浴用受け台４２の側面に対向する台車フレーム４の横バー部材４ａには、入浴用受け台４２の方向と反対方向に向かって二枚の矩形ブラケット６２、６２が互いに対向する向きで平行に設けられている。
【００２７】
二枚の矩形ブラケット６２、６２の基端部上には、コ字型平板６３がその突出した両先端部が上向きになる状態で取り付けられている。コ字型平板６３の両先端部６３ａ、６３ａの互いに対向した内面には、水平に突出したばね受け６４、６４がそれぞれ設けられており、また、コ字型平板６３の幅方向には、ばね受け６４、６４の鉛直下方に孔６５、６５がそれぞれ設けられ、この二つの孔６５、６５の間に中空円筒部材６６が挿設されている。
【００２８】
また、二枚の矩形ブラケット６２、６２の先端部には、丸棒形の軸部材６７が回転可能に設けられている。軸部材６７には、略Ｕ字形に屈曲した丸棒からなるレバー６８及び矩形の一次係合板６９が互いに所定の角度をもつように固定されている。レバー６８は、同方向に向いている両端部が軸部材６７に固定されており、中央部が入浴用受け台４２の方向の斜め下方に向けられてレバー係合部４６に接触する当接板６８ａが取り付けられているものである。また、一次係合板６９は略水平が保たれているものであり、一次係合板６９の先端は入浴用受け台４２の方向に向いていると共に凹部６９ａが設けられている。
【００２９】
一次係合板６９の先端部の下方には、一次係合板６９に直交する向きで矩形の二次係合板７０が水平に配置されている。二次係合板７０の両端部には、二次係合板７０を絶えず上方に引っ張るコイルバネからなる付勢部材７１、７１が鉛直上向きにそれぞれ取り付けられている。付勢部材７１、７１は、コ字型平板６３の孔６５、６５にそれぞれ挿通され、上端部がばね受け６４、６４にそれぞれ取り付けられている。この付勢部材７１、７１を介して、二次係合板７０はばね受け６４、６４に支持されている。
【００３０】
二次係合板７０の中央部には、円柱形の係止部材７２が鉛直上向きに取り付けられている。係止部材７２は頭部７２ａを有すると共に、一次係合板６９の凹部６９ａ及び中空円筒部材６６の中を挿通し、内方に張り出す状態で横架材７に水平に取り付けられた矩形板７３の先端に設けられた孔７４の中を挿通し、矩形板７３の上方に突出される。また、二次係合板７０と一次係合板６９との間、及び一次係合板６９と中空円筒部材６６との間には緩衝材７５が介在されている。
また、椅子フレーム９の入浴用受け台４２側の側面には、第２のロック機構６１に係合する第２の被係止板７６が設けられている。
【００３１】
この第２のロック機構６１の作動について説明すると、図５において連結機構４１により、入浴用受け台４２と台車部２とが連結されている状態では、レバー６８が入浴用受け台４２の側面に設けられたレバー係合部４６に当接することで当接板６８ａが押され、軸部材６７を軸に入浴用受け台４２の方向と反対方向に回転する（図５中の矢印（イ）で示す。）。このレバー６８の回転に伴って、一次係合板６９は軸部材６７を中心に下方に回転し、一次係合板６９の先端の下方に接するように配置されている二次係合板７０は下方に押され、二次係合板７０上に設けられている係止部材７２は鉛直下方向に移動する。
従って、この係止部材７２の頭部７２ａは第２の被係止板７６より下方に下がり、付勢部材７１、７１の弾性力により絶えず係止状態を保持されている第２のロック機構６１は非係止状態に切換わる。
【００３２】
一方、連結機構４１が解除され、入浴用受け台４２と台車部２とが離間している状態では、レバー６８はレバー係合部４６と非当接となり、上述とは反対に係止部材７２の頭部７２ａは第２の被係止板７６より上方に上がるため、椅子部３は第２の被係止板７６の外方に係止部材７２の頭部７２ａがオーバーラップして係止される。
【００３３】
本実施の形態は上述の構成を有しており、次に作用を説明する。
最初に上記の構成からなる入浴用車椅子１の椅子部３を、台車部２と入浴用受け台４２の間で移動させる場合について説明する。
【００３４】
まず椅子部３を、台車部２から入浴用受け台４２の方向（図１における矢印Ａの方向）へ移動させる場合、入浴用車椅子１と入浴用受け台４２が所定の位置に配置され、第１のレール８、８と第２のレール４４、４４が合致して接続することで、上述のように第２のロック機構６１は係止状態から非係止状態に切換わる。
そして椅子部３に付設されているロックレバー２９を解除する方向に回動させて第１のロック機構２１を非係止状態にし、椅子部３を入浴用受け台４２に移動させる。椅子部３は、車輪１１、１１が第１のレール８、８上及び第２のレール４４、４４上を回転移動することで、第１のレール８、８及び第２のレール４４、４４の設置方向に移動される。
【００３５】
次に、図２に示すように、椅子部３を入浴用受け台４２から台車部２の方向（図２における矢印Ｂの方向）移動させる場合の各部の状態について説明する。
【００３６】
上述の動作とは逆方向に、椅子部３を第２のレール４４、４４及び第１のレール８、８に沿って、入浴用受け台４２から台車部２に戻す。
このとき図３（ａ）及び図３（ｂ）に示されるように、椅子部３が完全に台車部２側に戻されていない場合には、弁体２８の先端部２８ａは孔２５に到達しておらず、第１の被係止板２４の平坦部２４ａ上に位置している。このとき第１のロック機構２１は未だロックされていない状態であり、且つ、ロック確認手段２２の指標部２２ａは、椅子部３によって完全には覆われていない。
【００３７】
従って入浴用車椅子１を操作する介助者は、露出している指標部２２ａの一部を視認することにより、未だ第１のロック機構２１がロックされておらず、入浴用受け台４２と入浴用車椅子１の連結を不用意に解除すべきでないことを確認することができる。
【００３８】
そして、図３（ｃ）及び図３（ｄ）に示されるように、椅子部３が完全に台車部２側に戻された場合には、弁体２８の先端部２８ａは、バネ２７の押圧力によって第１の被係止板２４に形成された孔２５と係合し、第１のロック機構２１がロックされた状態となる。このときロック確認手段２２の指標部２２ａは、椅子部３によって完全に覆われている。
【００３９】
従って介助者は、指標部２２ａが視認できなくなったことにより第１のロック機構２１が完全にロックされたことを認識することができ、入浴用車椅子１を操作して入浴用受け台４２から離すことができる。
【００４０】
上記の構成からなる入浴用車椅子１においては、ロック確認手段２２により、台車部２と椅子部３とが連結されていることを容易に確認できるので、台車部２と椅子部３とが連結される前に入浴用車椅子１を動かすことにより椅子部３が不用意に台車部２から離脱する方向に移動してしまうことを防止することができる。
【００４１】
また、上記の構成からなる入浴用車椅子１においては、台車部２と椅子部３とが第１のロック機構２１により連結されたことがロック確認手段２２により表示されるので、周囲の騒音レベルの高い入浴室等においても、台車部２と椅子部３とが連結されていることを目視により容易に確認することができる。
更に、ロック確認手段２２を介助者の直近に設けることにより、ロック確認手段２２の視認が容易となる。
【００４２】
次に、本発明の第２の実施形態を図７に基づいて説明する。なお、この第２の実施形態において、第１の実施形態と共通する部分には同一の符号を配して説明を省略する。
【００４３】
この第２の実施形態では、ロック確認手段２２の指標部は、台車部２と椅子部３が非ロック状態にあることを示す指標部２２ｂ（図７における斜線部）と、台車部２と椅子部３がロック状態にあることを示す指標部２２ｃを有している。
また、インジケータ部２２ｄが椅子部３に取り付けられており、椅子部３と連動して変位するように構成されている。
【００４４】
従って、第２の実施形態による入浴用車椅子１においては、椅子部３が入浴用受け台４２から移動する際に、第１のロック機構２１がロックされていない状態では、インジケータ部２２ｄは、非ロック状態にあることを示す指標部２２ｂを指示し、第１のロック機構２１がロックされている状態になると、インジケータ部２２ｄは、第１のロック機構２１がロック状態にあることを示す指標部２２ｃを指示するので、指標部が完全に覆われたか否かを介助者が一々判断することは不要となる。例えば２２ｃの部分に「ロック完了」等と記載することが考えられる。
【００４５】
次に、本発明の第３の実施形態を図８に基づいて説明する。この第３の実施形態では、ロック確認手段２２は、椅子部３の下面に設けられた発光素子２２ｅ、台車部２側に設けられた受光素子２２ｆ及びランプ２２ｇにより構成されており、発光素子２２ｅから発せられる光が受光素子２２ｆにより検出されるとランプ２２ｇが点灯するように構成されている。
【００４６】
椅子部３が入浴用受け台４２から移動される際、図８（ａ）に示されるように、第１のロック機構２１がロックされていない状態では、発光素子２２ｅと受光素子２２ｆはオーバーラップしていないため、発光素子２２ｅからの光は受光素子２２ｆでは検出されず、ランプ２２ｇは消灯された状態となっている。そして、図８（ｂ）に示されるように、第１のロック機構２１がロックされる位置まで椅子部３が移動され、発光素子２２ｅと受光素子２２ｆがオーバーラップが椅子部３によって覆われると、ランプ２２ｇが点灯される。
【００４７】
従って、第３の実施形態による入浴用車椅子１においては、第１のロック機構２１がロック状態になっていることが一層明瞭に示される。
【００４８】
本発明は上記した実施の形態に限定されるものではなく、その趣旨を逸脱しない範囲内で適宜変更可能である。例えば、上記した実施の形態では、入浴用車椅子について説明しているが、本発明によるロック確認手段を入浴用車椅子に代えて入浴用担架に採用しても良い。
この入浴用担架は、上記した実施の形態で説明した台車部２に代わるストレッチャー、及び椅子部３に代わる搭載部としての担架本体、並びにロック確認手段２２を有するものとなる。
【図面の簡単な説明】
【００４９】
【図１】本発明の第１の実施の形態において椅子部が台車部上に位置する様子を示す斜視図である。
【図２】本発明の第１の実施の形態において椅子部が入浴用受け台上に位置する様子を示す斜視図である。
【図３】本発明の第１の実施形態における台車部と椅子部の相対位置関係と第１のロック機構の状態を説明する図であって、それぞれ、（ａ）は非ロック状態を示す平面図、（ｂ）は非ロック状態を示す要部断面図、（ｃ）はロック状態を示す平面図、（ｄ）はロック状態を示す要部断面図である。
【図４】本発明の第１の実施形態を説明するための入浴用受け台の斜視図である。
【図５】本発明の第１の実施形態における第２のロック機構の断面詳細図である。
【図６】本発明の第１の実施形態における第２のロック機構の斜視図である。
【図７】本発明の第２の実施の形態における台車部と椅子部の相対位置関係とロック確認手段の状態を説明する図であって、それぞれ、（ａ）は非ロック状態、（ｂ）はロック状態を示すものである。
【図８】本発明の第３の実施の形態における台車部と椅子部の相対位置関係とロック確認手段の状態を説明する図であって、それぞれ、（ａ）は非ロック状態、（ｂ）はロック状態を示すものである。
【符号の説明】
【００５０】
１  入浴用車椅子  ２  台車部  ３  椅子部（搭載部）  ８  第１のレール（軌道部）  ２１  第１のロック機構  ２２  ロック確認手段  ２４  第１の被係止板  ２５  孔  ２８  弁体  ４１  連結機構  ４２  入浴用受け台  ４４  第２のレール  ４６  レバー係合部  ６１  第２のロック機構
【図１】
2006042974.tif 000003
【図２】
2006042974.tif 000004
【図３】
2006042974.tif 000005
【図４】
2006042974.tif 000006
【図５】
2006042974.tif 000007
【図６】
2006042974.tif 000008
【図７】
2006042974.tif 000009
【図８】
2006042974.tif 000010